(57)【要約】【課題】  高い宣伝効果が得られるコンテンツを選択するコンテンツ選択装置、コンテンツ選択方法、プログラム等を提供することを主要な目的とする。【解決手段】  撮像データから、撮像データに含まれる人物の特徴に関する情報を抽出する抽出手段と、前記抽出した情報に基づいて、前記撮像データに含まれる人物が、コンテンツを提示する対象でない人物である非ターゲットであるか否かを判定する判定手段と、前記判定手段により、前記抽出された情報のうち、非ターゲットでないと判定された人物に関する情報に基づいて、コンテンツを選択する選択手段と、を備える【選択図】      図３
2020115159.tif 000002
【特許請求の範囲】
【請求項１】
撮像データから、当該撮像データに含まれる人物の特徴に関する情報を抽出する抽出手段と、
前記抽出された情報に基づいて、前記撮像データに含まれる人物が、コンテンツを提示する対象でない人物である非ターゲットであるか否かを判定する判定手段と、
前記抽出手段により抽出された情報のうち、前記判定手段により非ターゲットでないと判定された人物に関する情報に基づいて、コンテンツを選択する選択手段と、を備える
コンテンツ選択装置。
【請求項２】
前記判定手段は、前記抽出された情報と、予め設定された、前記非ターゲットに関する情報に基づいて、前記撮像データに含まれる人物が非ターゲットであるか否かを判定する、
請求項１に記載のコンテンツ選択装置。
【請求項３】
前記抽出された情報に関する人物の、前記撮像データにおける出現頻度に基づいて、当該人物が非ターゲットであるか否かを判定する非ターゲット情報管理手段をさらに備え、
前記非ターゲットに関する情報は、前記非ターゲット情報管理手段により、非ターゲットであると判定された前記人物の特徴に関する情報である
請求項２に記載のコンテンツ選択装置。
【請求項４】
前記選択手段は、
前記抽出された情報に、非ターゲットでないと判定された人物の特徴に関する情報が含まれる場合、当該人物の特徴に関する情報に基づいてコンテンツを選択し、
前記抽出された情報に、前記非ターゲットでないと判定された人物の特徴に関する情報が含まれない場合、所定のコンテンツを選択する
請求項１乃至３のいずれか１項に記載のコンテンツ選択装置。
【請求項５】
前記特徴は、前記撮像データに含まれる人物の属性及び前記撮像データから切り出された当該人物を含む画像の少なくとも一方を含む
請求項１乃至４のいずれか１項に記載のコンテンツ選択装置。
【請求項６】
前記属性は、前記撮像データに含まれる人物の年齢、性別、身長、髭の有無、眼鏡の有無及び名札の有無の情報の少なくとも一を含み、
前記切り出された画像は、前記撮像データに含まれる人物の顔を含む画像及び当該人物の着衣を含む画像の少なくとも一方を含む
請求項５に記載のコンテンツ選択装置。
【請求項７】
前記抽出された情報と、前記判定手段が前記撮像データに含まれる人物が非ターゲットであるか否かを判定した結果と、前記撮像データに含まれる人物を検出した時刻とを対応付けた情報を記憶する記憶手段をさらに備える
請求項１乃至６のいずれか１項に記載のコンテンツ選択装置。
【請求項８】
請求項１乃至７のいずれか１項に記載のコンテンツ選択装置と、
前記撮像データを生成する撮像装置と、
前記選択手段によって選択された前記コンテンツを出力する出力装置と、を備える
コンテンツ選択システム。
【請求項９】
撮像データから、当該撮像データに含まれる人物の特徴に関する情報を抽出し、
前記抽出された情報に基づいて、前記撮像データに含まれる人物が、コンテンツを提示する対象でない人物である非ターゲットであるか否かを判定し、
前記判定の結果に基づいて、コンテンツを選択する
コンテンツ選択方法。
【請求項１０】
撮像データから、当該撮像データに含まれる人物の特徴に関する情報を抽出する処理と、
前記抽出された情報に基づいて、前記撮像データに含まれる人物が、コンテンツを提示する対象でない人物である非ターゲットであるか否かを判定する処理と、
前記判定の結果に基づいて、コンテンツを選択する処理と、をコンピュータに実行させる
プログラム。
【発明の詳細な説明】
【技術分野】
【０００１】
本開示は、コンテンツを選択する装置、方法、システム及びプログラムに関する。
【背景技術】
【０００２】
店舗や公共施設等において、デジタルサイネージと呼ばれる、電子機器を用いて情報発信を行うシステムが用いられている。
【０００３】
一般に、デジタルサイネージでは、静的に決定されたルールに基づいて、出力するコンテンツを切り替えることが行われている。近年では、コンテンツの訴求効果、すなわち宣伝効果を向上させるため、撮像装置を用いて一定の範囲を撮像し、当該一定の範囲に位置する人物の情報に基づいてコンテンツを切り替える方法が知られている。
【０００４】
例えば、特許文献１に開示される技術では、撮像装置を用いて撮像した人物の年齢や性別といった属性を推定し、推定した属性に基づいて、当該人物に対して提示するコンテンツを選択する。
【先行技術文献】
【特許文献】
【０００５】
【特許文献１】特開２００３−２７１０８４号公報
【発明の概要】
【発明が解決しようとする課題】
【０００６】
ところで、店舗や公共施設等にデジタルサイネージが設置される場合、デジタルサイネージ付近で、従業員、清掃員または警備員等（以降、「従業員等」とも称する）が業務に従事している場合がある。すなわち、撮像装置が撮像する範囲に、従業員等が、任意の時間滞在する場合がある。一般に、店舗や公共施設等に設置されるデジタルサイネージでは、従業員等は、コンテンツを提示する対象の人物でない場合が多い。
【０００７】
特許文献１に開示される技術では、人物を選別することなく、撮像した人物に対して提示するコンテンツを選択している。そのため、従業員等がデジタルサイネージ付近に位置する場合、従業員等の属性に基づいたコンテンツが選択され、出力されるので、効果的に宣伝を行うことができない虞がある。
【０００８】
本開示は、上記課題を鑑みてなされたものであり、宣伝効果が高いコンテンツを選択するコンテンツ選択装置、コンテンツ選択方法、プログラム等を提供することを主要な目的とする。
【課題を解決するための手段】
【０００９】
本発明の一態様にかかるコンテンツ選択装置は、撮像データから、当該撮像データに含まれる人物の特徴に関する情報を抽出する抽出手段と、前記抽出された情報に基づいて、前記撮像データに含まれる人物が、コンテンツを提示する対象でない人物である非ターゲットであるか否かを判定する判定手段と、前記抽出手段により抽出された情報のうち、前記判定手段により非ターゲットでないと判定された人物に関する情報に基づいて、コンテンツを選択する選択手段と、を備える。
【００１０】
本発明の一態様にかかるコンテンツ選択方法は、撮像データから、当該撮像データに含まれる人物の特徴に関する情報を抽出し、前記抽出された情報に基づいて、前記撮像データに含まれる人物が、コンテンツを提示する対象でない人物である非ターゲットであるか否かを判定し、前記判定の結果に基づいて、コンテンツを選択する。
【００１１】
本発明の一態様にかかるプログラムは、撮像データから、当該撮像データに含まれる人物の特徴に関する情報を抽出する処理と、前記抽出された情報に基づいて、前記撮像データに含まれる人物が、コンテンツを提示する対象でない人物である非ターゲットであるか否かを判定する処理と、前記判定の結果に基づいて、コンテンツを選択する処理と、をコンピュータに実行させる。
【発明の効果】
【００１２】
本開示によれば、宣伝効果が高いコンテンツを選択することが可能になる、という効果が得られる。
【図面の簡単な説明】
【００１３】
【図１】各実施形態におけるコンテンツ選択装置を実現するコンピュータ装置のハードウェア構成の一例を示すブロック図である。
【図２】第１の実施形態にかかるコンテンツ選択システムの構成の一例を模式的に示す図である。
【図３】第１の実施形態にかかるコンテンツ選択システムの機能構成の一例を示すブロック図である。
【図４】第１の実施形態にかかる非ターゲット情報の一例を示す図である。
【図５】第１の実施形態にかかる非ターゲット情報の他の一例を示す図である。
【図６】第１の実施形態にかかるコンテンツ識別情報の一例を示す図である。
【図７】第1の実施形態にかかるターゲット属性情報の一例を示す図である。
【図８】第１の実施形態にかかるコンテンツ情報取得部の動作を説明するフローチャートである。
【図９】第１の実施形態にかかる非ターゲット情報登録部の動作を説明するフローチャートである。
【図１０】第１の実施形態にかかるコンテンツ選択システムの動作を説明するフローチャートである。
【図１１】第１の実施形態にかかる抽出情報の一例を示す図である。
【図１２】第１の実施形態の変形例２にかかるコンテンツ選択システムの機能構成の一例を示すブロック図である。
【図１３】第１の実施形態の変形例３にかかるコンテンツ選択システムの機能構成の一例を示すブロック図である。
【図１４】第２の実施形態にかかるコンテンツ選択装置の機能構成の一例を示すブロック図である。
【図１５】第２の実施形態にかかる人物情報の一例を示す図である。
【図１６】第３の実施形態にかかるコンテンツ選択装置の最小構成の一例を示す図である。
【図１７】第３の実施形態にかかるコンテンツ選択装置の動作を説明するフローチャートである。
【発明を実施するための形態】
【００１４】
第１の実施形態
第１の実施形態及び他の実施形態にかかるコンテンツ選択装置を構成するハードウェアについて説明する。図１は、各実施形態におけるコンテンツ選択装置を実現するコンピュータ装置のハードウェア構成の一例を示すブロック図である。図１が示す各ブロックは、各実施形態におけるコンテンツ選択装置及びコンテンツ選択方法を実現するコンピュータ装置１０と、ソフトウェアとの任意の組み合わせにより実現できる。
【００１５】
図１に示すように、コンピュータ装置１０は、プロセッサ１１、ＲＡＭ（Ｒａｎｄｏｍ  Ａｃｃｅｓｓ  Ｍｅｍｏｒｙ）１２、ＲＯＭ（Ｒｅａｄ  Ｏｎｌｙ  Ｍｅｍｏｒｙ）１３、記憶装置１４、入出力インタフェース１５およびバス１６を備える。
【００１６】
記憶装置１４は、プログラム１８を格納する。プロセッサ１１は、ＲＡＭ１２を用いて本コンテンツ選択装置にかかるプログラム１８を実行する。具体的には、例えば、プログラム１８は、図８、図９及び図１０等に示す処理をコンピュータに実行させるプログラムを含む。プロセッサ１１が、プログラム１８を実行することにより、本コンテンツ選択装置の各構成要素（後述する、情報抽出部１１０、非ターゲット判定部１２０、コンテンツ選択部１３０、非ターゲット情報管理部１４０、コンテンツ情報取得部１６０）の機能が実現される。プログラム１８は、ＲＯＭ１３に記憶されていてもよい。また、プログラム１８は、記録媒体２０に記録され、ドライブ装置１７によって読み出されてもよいし、外部装置からネットワークを介して送信されてもよい。
【００１７】
入出力インタフェース１５は、周辺機器（キーボード、マウス、表示装置など）１９とデータをやり取りする。入出力インタフェース１５は、データを取得または出力する手段として機能する。バス１６は、各構成要素を接続する。
【００１８】
なお、コンテンツ選択装置の実現方法には様々な変形例がある。例えば、コンテンツ選択装置は、専用の装置として実現することができる。また、コンテンツ選択装置は、複数の装置の組み合わせにより実現することができる。
【００１９】
本実施形態および他の実施形態の機能における各構成要素を実現するためのプログラムを記録媒体に記録させ、該記録媒体に記録されたプログラムをコードとして読み出し、コンピュータにおいて実行する処理方法も各実施形態の範疇に含まれる。すなわち、コンピュータ読取可能な記録媒体も各実施形態の範囲に含まれる。また、上述のプログラムが記録された記録媒体はもちろん、そのプログラム自体も各実施形態に含まれる。
【００２０】
該記録媒体としては例えばフロッピー（登録商標）ディスク、ハードディスク、光ディスク、光磁気ディスク、ＣＤ（Ｃｏｍｐａｃｔ  Ｄｉｓｃ）−ＲＯＭ、磁気テープ、不揮発性メモリカード、ＲＯＭを用いることができる。また該記録媒体に記録されたプログラム単体で処理を実行しているものに限らず、他のソフトウェア、拡張ボードの機能と共同して、ＯＳ（Ｏｐｅｒａｔｉｎｇ  Ｓｙｓｔｅｍ）上で動作して処理を実行するものも各実施形態の範疇に含まれる。
【００２１】
次に、デジタルサイネージを構成するコンテンツ選択システムの各構成要素の概要について説明する。
【００２２】
図２は、第１の実施形態にかかるコンテンツ選択システムの構成の一例を模式的に示す図である。図２に示すように、コンテンツ選択システム１０００は、コンテンツ選択装置１００と、撮像装置２００と、管理端末３００と、出力装置４００とを備える。コンテンツ選択システム１０００は、少なくともコンテンツ選択装置１００の制御に基づいて、出力装置４００がコンテンツを出力するシステムである。
【００２３】
コンテンツ選択装置１００は、撮像装置２００と、管理端末３００と、出力装置４００と相互に通信可能に接続されている。
【００２４】
図３は、図２に示したコンテンツ選択システム１０００の機能構成の一例を示すブロック図である。図３が示すコンテンツ選択装置１００内のそれぞれのブロックは、単一の装置内に実装されてよく、あるいは、複数の装置にわかれて実装されてよい。ブロック間のデータの授受は、データバス、ネットワーク、可搬記憶媒体等、任意の手段を介して行われてよい。
【００２５】
図３に示すように、コンテンツ選択装置１００は、情報抽出部１１０と、非ターゲット判定部１２０と、コンテンツ選択部１３０と、非ターゲット情報管理部１４０と、非ターゲット情報記憶部１５０と、コンテンツ情報取得部１６０と、コンテンツ情報記憶部１７０とを備える。コンテンツ選択装置１００は、撮像装置２００及び管理端末３００から取得した情報等を用いて、出力装置４００が出力するコンテンツを選択する機能を有する。
【００２６】
撮像装置２００は、所定の範囲を撮像する装置である。撮像装置２００が撮像する範囲を「撮像範囲」と称する。図２において、出力装置４００の前方側に点線で示した範囲を撮像範囲とする。撮像装置２００は、撮像範囲を撮像し、生成した撮像データをコンテンツ選択装置１００に送信する。
【００２７】
管理端末３００は、コンテンツ選択システム１０００を管理するための入出力手段を備えた情報処理装置である。管理端末３００は、例えばパーソナルコンピュータであってよい。管理端末３００は、非ターゲットを識別するための情報をコンテンツ選択装置１００に送信する。
【００２８】
出力装置４００は、平面ディスプレイやプロジェクタなどによって映像や文字などのコンテンツを表示するサイネージ端末である。出力装置４００は、コンテンツ選択装置１００から、選択されたコンテンツを取得し、平面ディスプレイ等に出力する。
【００２９】
図２及び図３では、コンテンツ選択装置１００は、独立した装置として示されているが、これに限定されない。すなわち、例えば、コンテンツ選択装置１００は、出力装置４００に含まれてもよい。また、コンテンツ選択装置１００は、撮像装置２００、及び出力装置４００が一体となった装置に含まれてもよい。また、コンテンツ選択装置１００は、オンプレミス環境で構築されてもよいし、クラウド環境で構築されてもよい。  次に、コンテンツ選択装置１００の各構成要素について説明する。
【００３０】
情報抽出部１１０は、撮像装置２００から撮像データを取得し、撮像データに含まれる人物を検出すると共に、検出した人物の特徴に関する情報を抽出する。人物の特徴に関する情報は、検出した人物の属性や、撮像データから切り出された当該人物の画像等である。情報抽出部１１０は、このような、人物の特徴に関する情報を撮像データから抽出する。以下、情報抽出部１１０が抽出する、人物の特徴に関する情報を「抽出情報」と称する。また、抽出情報のうち、人物の属性を「抽出属性」、撮像データから切り出された当該人物の画像を「抽出画像」と称する。抽出属性とは、例えば、人物の性別、年齢、身長、姿勢、眼鏡の有無、髭の有無、人物が保持している荷物であるが、これに限らない。また、抽出画像とは、例えば、撮像データにおける当該人物の顔の部分や、着衣の部分を矩形領域で切り出された画像であるが、これに限らない。情報抽出部１１０は、撮像データから、当該撮像データに含まれる人物の特徴に関する情報を抽出する抽出手段に相当する。
【００３１】
非ターゲット判定部１２０は、抽出情報と、非ターゲット情報記憶部１５０に格納される非ターゲット情報（詳細は後述する）とに基づいて、撮像データに含まれる人物が非ターゲットであるか否かを判定する。ここで、本実施形態では、通行人や客等の不特定の人物を、コンテンツを提示するターゲットとして考える。非ターゲットとは、コンテンツを提示する対象として扱わない人物である。非ターゲットは、予め設定される。非ターゲットは、例えば、従業員、清掃員及び警備員等、撮像範囲付近で業務に従事している人物である。非ターゲット判定部１２０は、抽出した情報に基づいて、撮像データに含まれる人物が非ターゲットであるか否かを判定する判定手段に相当する。
【００３２】
コンテンツ選択部１３０は、非ターゲット判定部１２０が判定した結果に応じて、出力装置４００が出力するコンテンツを選択する。コンテンツ選択部１３０は、抽出された情報のうち、非ターゲットでないと判定された人物に関する情報に基づいて、コンテンツを選択する選択手段に相当する。
【００３３】
非ターゲット情報管理部１４０は、管理端末３００から取得した非ターゲット情報を、非ターゲット情報記憶部１５０に登録する。図４及び図５は、それぞれ非ターゲット情報の一例を示す図である。非ターゲット情報は、コンテンツを提示する対象でない人物の情報である。図４は、非ターゲットに設定した人物の属性を示す非ターゲット属性を含む、非ターゲット情報を示す。図４では、非ターゲット属性の種別として「年齢」、「性別」、「身長」、「髭（の有無）」、「眼鏡（の有無）」及び「名札（の有無）」を用いているが、これに限らない。また、図５は、非ターゲットに設定した人物の画像を示す非ターゲット画像を含む、非ターゲット情報を示す。図５では、非ターゲット画像の種別として、「着衣画像」及び「顔画像」を用いているが、これに限らない。ここで、着衣画像とは、例えば、非ターゲットに設定した、店舗の従業員、清掃員及び警備員等の制服の画像であるが、これに限らない。着衣画像は、例えば、非ターゲットに設定した人物の個別の着衣の画像であってもよい。また、顔画像とは、例えば、非ターゲットに設定した人物の顔の画像である。非ターゲット情報は、非ターゲット属性及び非ターゲット画像の少なくとも一方を含む。
【００３４】
コンテンツ情報取得部１６０は、コンテンツ情報（詳細は後述する）を取得し、コンテンツ情報記憶部１７０に格納する。本実施形態では、コンテンツ情報取得部１６０は、コンテンツ選択装置１００とネットワークを介して接続されるサーバ等（図示せず）からコンテンツ情報を取得することを採用したが、これに限らない。例えば、コンテンツ情報取得部１６０は、コンテンツ選択装置１００に挿入されるメモリカードやＵＳＢ（Ｕｎｉｖｅｒｓａｌ  Ｓｅｒｉａｌ  Ｂｕｓ）メモリ等からコンテンツ情報を取得してもよい。
【００３５】
コンテンツ情報記憶部１７０は、コンテンツ情報を保持する。コンテンツ情報は、コンテンツの実データと、コンテンツを識別する情報と、コンテンツのターゲットとなる人物の属性に関する情報とを含む。以下、コンテンツの実データを「コンテンツファイル」、コンテンツを識別する情報を「コンテンツ識別情報」、コンテンツのターゲットとなる人物の属性に関する情報を「ターゲット属性情報」と称する。図６は、コンテンツ識別情報の一例を示す図である。図６に示すように、コンテンツ識別情報は、コンテンツを識別するためのコンテンツＩＤ（ＩＤｅｎｔｉｆｉｃａｔｉｏｎ）及びコンテンツファイル名を対応付けた情報である。例えば、コンテンツファイル名が「ｃｏｓｍｅｔｉｃ＿ａａａ．ｍｐ４」であるコンテンツファイルのコンテンツＩＤは「０００１」である。
【００３６】
なお、コンテンツ情報取得部１６０及びコンテンツ情報記憶部１７０は、それぞれコンテンツ選択装置１００の外部に接続されてもよいし、コンテンツ選択部１３０に含まれてもよい。
【００３７】
図７は、ターゲット属性情報の一例を示す図である。図７に示すように、ターゲット属性情報は、ターゲット属性と、コンテンツＩＤとを含む。ターゲット属性は、コンテンツのメインターゲットとする人物の属性である。メインターゲットとは、コンテンツの訴求効果（宣伝効果）が高いと考えられる層である。ターゲット属性情報は、ターゲット属性ごとに、当該属性をもつ人物をメインターゲットとするコンテンツのコンテンツＩＤが対応づけられている。例えば、年齢が「１０−２０」歳かつ性別が「女性」をメインターゲットとするコンテンツのコンテンツＩＤは、「０００１」及び「０００４」である。ここで、年齢または性別が「ａｌｌ」のコンテンツは、メインターゲットとして年齢または性別を指定しないことを示す。また、図７では、ターゲット属性として、年齢及び性別が用いられているが、これに限らない。例えば、身長、姿勢、眼鏡の有無、髭の有無、人物が保持している荷物等、をターゲット属性として用いてもよい。
【００３８】
次に、コンテンツ選択システム１０００の動作を説明する。本実施形態のコンテンツ選択システム１０００は、撮像範囲を撮像し、生成した撮像データから抽出した情報に基づいて、コンテンツを選択する処理を行う。コンテンツ選択装置１００は、予めコンテンツ情報及び非ターゲット情報を取得する。そして、コンテンツ選択装置１００は、取得したコンテンツ情報及び非ターゲット情報を用いて、撮像データから抽出する情報を決定する。そこで、まず、コンテンツ選択装置１００が、コンテンツ選択システム１０００によりコンテンツ情報及び非ターゲット情報を取得する動作を説明する。以下、本明細書において、フローチャートの各ステップを「Ｓ８０１」のように、それぞれのステップに付した番号を用いて表現する。
【００３９】
図８は、コンテンツ情報取得部１６０により、コンテンツ情報を取得する動作を説明するフローチャートである。まず、コンテンツ情報取得部１６０は、コンテンツ選択装置１００とネットワークを介して接続するサーバ等から、コンテンツ情報を取得する。ここでは、コンテンツ情報取得部１６０は、図６に示すコンテンツ識別情報及びコンテンツ識別情報に示されるコンテンツファイルと、図７に示すターゲット属性情報とを取得したとする。コンテンツ情報取得部１６０は、取得したコンテンツ情報をコンテンツ情報記憶部１７０に格納する（Ｓ８０１）。そして、コンテンツ情報取得部１６０は、ターゲット属性情報に含まれる、ターゲット属性の種別を情報抽出部１１０に通知する（Ｓ８０２）。図７の例では、コンテンツ情報取得部１６０は、「年齢」及び「性別」を情報抽出部１１０に通知する。
【００４０】
図９は、非ターゲット情報管理部１４０により、非ターゲット情報を取得する動作を説明するフローチャートである。まず、非ターゲット情報管理部１４０は、管理端末３００から、非ターゲット情報を取得する。ここでは、図４及び図５に示す非ターゲット情報を取得したとする。非ターゲット情報管理部１４０は、取得した非ターゲット情報を非ターゲット情報記憶部１５０に格納する（Ｓ９０１）。そして、非ターゲット情報管理部１４０は、非ターゲット情報に含まれる、非ターゲット属性の種別と、非ターゲット画像の種別とを情報抽出部１１０に通知する（Ｓ９０２）。図４及び図５の例では、非ターゲット情報管理部１４０は、「年齢」、「性別」、「身長」、「髭」の有無、「眼鏡」の有無、「名札」の有無、「着衣画像」及び「顔画像」を情報抽出部１１０に通知する。
【００４１】
Ｓ８０２及びＳ９０２において情報抽出部１１０に通知された、ターゲット属性の種別、非ターゲット属性の種別、及び非ターゲット画像の種別は、情報抽出部１１０に撮像データから抽出する情報を指示するために用いられる（詳細は後述する）。以下、撮像データから抽出する情報を指示するために用いられる情報を「抽出指示情報」と称する。
【００４２】
次に、コンテンツ選択システム１０００が、撮像範囲を撮像し、生成した撮像データから抽出した情報に基づいて、コンテンツを選択する処理について説明する。図１０は、本実施形態にかかるコンテンツ選択システム１０００の動作を説明するフローチャートである。
【００４３】
コンテンツ選択装置１００は、撮像装置２００から撮像データを取得している。情報抽出部１１０は、抽出指示情報に基づいて、所定のタイミングで、撮像データから人物に関する情報、すなわち上述した抽出情報を抽出する（Ｓ１００１）。
【００４４】
図１１は、抽出情報の一例を示す図である。抽出指示情報が、ターゲット属性の種別または非ターゲット属性の種別を示す場合、情報抽出部１１０は、撮像データに含まれる人物に対して、それぞれの属性の種別に応じた属性を抽出する。図１１の例では、情報抽出部１１０は、撮像データに含まれる人物の「年齢」、「性別」、「身長」、「髭」の有無、「眼鏡」の有無、及び「名札」の有無を示す抽出属性を抽出する。また、抽出指示情報が、非ターゲット画像の種別を示す場合、情報抽出部１１０は、画像の種別に応じた画像を撮像データから抽出する。図１１の例では、情報抽出部１１０は、撮像データから切り出された、人物の「顔画像」及び「着衣画像」を示す抽出画像を抽出する。また、図１１に示す「人物ＩＤ」は、撮像データに含まれる人物を識別するために付与された情報である。
【００４５】
上述したように、コンテンツ選択装置１００は、所定のタイミングで、撮像データから抽出情報を抽出する。ここで、所定のタイミングとは、一定時間ごとであってもよいし、あらかじめ決められた時刻であってもよいが、これに限らない。例えば、出力装置４００がコンテンツを出力している間に、次に出力するコンテンツをコンテンツ選択装置１００が選択する場合、出力装置４００が出力しているコンテンツの時間の長さに応じた間隔で、撮像データから情報を抽出してもよい。また、本実施形態では、情報抽出部１１０は、コンテンツ情報取得部１６０及び非ターゲット情報管理部１４０から予め抽出指示情報を取得し、撮像データから抽出する情報を決定しているが、この例に限らない。例えば、情報抽出部１１０が、上述した所定のタイミングで、非ターゲット情報記憶部１５０及びコンテンツ情報記憶部１７０から、抽出指示情報を読み出してもよい。このとき、情報抽出部１１０は、非ターゲット情報記憶部１５０及びコンテンツ情報記憶部１７０と直接接続されてもよい。
【００４６】
図１０に戻り、非ターゲット判定部１２０は、情報抽出部１１０から取得した抽出情報と、非ターゲット情報記憶部１５０に格納される非ターゲット情報とに基づいて、検出された人物が非ターゲットであるか否かを判定する（Ｓ１００２）。ここでは、非ターゲット判定部１２０は、図１１に示す人物Ａ、人物Ｂ及び人物Ｃのそれぞれに対して、非ターゲットであるか否かを判定する。
【００４７】
ここで、非ターゲットであるか否かを判定する方法としては、様々な方法が考えられる。例えば、抽出情報に含まれる抽出画像と、非ターゲット情報に含まれる非ターゲット画像とを照合する。照合の結果、それぞれの画像に含まれる顔や着衣が同一であると判定される場合、非ターゲット判定部１２０は、検出された人物が非ターゲットであると判定してもよい。画像の照合には、既知の種々の画像照合技術を用いることができる。例えば、画像からエッジ等の特徴点を抽出し、それぞれの画像の特徴点の位置関係を元に画像間の照合を行う方法や、非ターゲット画像をテンプレート画像とし、抽出画像にテンプレート画像を重ね合わせ、類似する領域を探索する方法等を用いることができる。また、抽出情報に含まれる抽出属性と、非ターゲット情報に含まれる非ターゲット属性とを比較し、それぞれの属性が一致した場合、検出された人物が非ターゲットであると判定してもよい。このとき、一致する割合の閾値を予め定め、閾値以上の割合の属性が一致した場合、検出された人物が非ターゲットであると判定してもよい。例えば、閾値を２／３とすると、図４及び図１１の例では、６種類の属性のうち、４種類以上の属性が一致した場合、検出された人物が非ターゲットであると判定してもよい。
【００４８】
また、本実施形態では、非ターゲット情報として、図４に示す非ターゲット属性と、図５に示す非ターゲット画像との両方を取得してもよいし、いずれか一方のみを取得してもよい。例えば、非ターゲット情報として、非ターゲット画像のみを取得している場合、画像の照合のみを行い、検出された人物が非ターゲットであるか否かを判定してもよい。また、非ターゲット情報として、非ターゲット属性と、非ターゲット画像との両方を取得している場合、画像の照合と、属性の比較とを両方行ってもよい。画像の照合と、属性の比較とを両方行うことによって、一方のみでは一意に判定できない場合であっても、検出された人物が非ターゲットであるか否かを判定することが可能となる。すなわち、判定の精度を向上することができる。
【００４９】
非ターゲット判定部１２０は、検出された人物が非ターゲットであると判定した場合（Ｓ１００３の「ＹＥＳ」）、抽出情報の当該人物のレコードにフラグ「１」を付加する（Ｓ１００４）。また、非ターゲット判定部１２０は、検出された人物が非ターゲットでない、すなわちターゲットであると判定した場合（Ｓ１００３の「ＮＯ」）、抽出情報の当該人物のレコードにフラグ「０」を付加する（Ｓ１００５）。例えば、図１１に示す「人物Ａ」の抽出属性は、図４に示す非ターゲット属性に、すべて一致している。この場合、非ターゲット判定部１２０は、「人物Ａ」を非ターゲットであると判定し、抽出情報の「人物Ａ」のレコードに対してフラグ「１」を付加する。
【００５０】
非ターゲット判定部１２０は、Ｓ１００４またはＳ１００５の処理の後、抽出情報に含まれるすべての人物に対して判定が終了したかどうか確認する。具体的には、非ターゲット判定部１２０は、抽出情報に、フラグを付加していないレコードがあるか否かを確認する。非ターゲット判定部１２０は、フラグを付加していないレコードがある場合、すべての人物に対して判定が終了していないと判断し、フラグを付加していないレコードがない場合、すべての人物に対して判定が終了したと判断する。
【００５１】
抽出情報に含まれるすべての人物に対して判定が終了していない場合（Ｓ１００６の「ＹＥＳ」）、非ターゲット判定部１２０は、判定が終了していない人物に対して、非ターゲットであるか否かの判定を行う。非ターゲット判定部１２０は、抽出情報に含まれるすべての人物の判定が終了するまで、Ｓ１００２からＳ１００５の処理を繰り返す。本実施形態では、非ターゲット判定部１２０は、図１１に示す抽出情報の「人物Ａ」は非ターゲットであり、「人物Ｂ」及び「人物Ｃ」は非ターゲットでないと判定したとする。つまり、抽出情報の「人物Ａ」に対してフラグ「１」が付加され、「人物Ｂ」及び「人物Ｃ」に対してフラグ「０」が付加される。
【００５２】
非ターゲット判定部１２０は、抽出情報に含まれるすべての人物の項目に対してフラグを付加し（Ｓ１００６の「ＮＯ」）、抽出情報をコンテンツ選択部１３０に送信する。
【００５３】
コンテンツ選択部１３０は、抽出情報にターゲットとなる人物のみ含まれる場合（Ｓ１００７の「ＮＯ」）、及び、抽出情報に非ターゲットが含まれる場合（Ｓ１００７の「ＹＥＳ」及びＳ１００８の「ＮＯ」）、抽出情報のうち、ターゲットとなる人物の情報に基づいてコンテンツを選択する（Ｓ１００９）。具体的には、コンテンツ選択部１３０は、コンテンツ情報記憶部１７０に格納されるターゲット属性情報から、抽出情報のうちフラグ「０」が付加された人物の属性、図１１の例では、「人物Ｂ」及び「人物Ｃ」の属性に合致するコンテンツを選択する。例えば、「人物Ｂ」は、年齢が「１５」、性別が「女性」である。このとき、コンテンツ選択部１３０は、図７に示されるターゲット属性情報のうち、年齢が「１０−２０」、性別が「女性」である、コンテンツＩＤ「０００１」及び「０００４」のコンテンツを選択する。また、「人物Ｃ」は、年齢が「３０」、性別が「女性」である。これに対して、ターゲット属性情報に年齢「３０」を指定しているコンテンツはない。このとき、コンテンツ選択部１３０は、ターゲット属性の年齢が「ａｌｌ」、性別が「女性」である、コンテンツＩＤ「０００４」のコンテンツを選択する。
【００５４】
抽出情報にターゲットとなる人物が含まれない場合、すなわち、抽出情報に非ターゲットと判定された人物のみ含まれる場合（Ｓ１００８の「ＹＥＳ」）、コンテンツ選択部１３０は、抽出情報を考慮せず、コンテンツを選択する（Ｓ１０１０）。例えば、ターゲット属性を指定していないコンテンツ、すなわち年齢及び性別が共に「ａｌｌ」である、コンテンツＩＤ「０００５」のコンテンツを選択する。
【００５５】
コンテンツを選択する方法は、上述の例に限らない。例えば、サイネージ端末と各々の人物との距離や、各々の人物の視線の向き等に応じて、コンテンツを選択する際に使用する抽出情報を選択してもよい。具体的には、サイネージ端末と各々の人物との距離を測定し、フラグが付加された抽出情報のうち、当該距離が最も短い人物の情報を用いてコンテンツを選択してもよい。また、各々の人物の視線や顔の向きを判別し、フラグが付加された抽出情報のうち、サイネージ端末を視認していると判定された人物の情報を用いてコンテンツを選択してもよい。
【００５６】
コンテンツ選択部１３０は、選択したコンテンツのコンテンツファイルを出力装置４００に送信する（Ｓ１０１０）。ここでは、コンテンツＩＤ「０００１」及び「０００４」のコンテンツファイルを、出力装置４００に送信する。出力装置４００は、受信したコンテンツファイルを用いてコンテンツを再生し、当該コンテンツを平面ディスプレイ等に出力する。このとき、出力装置４００は、例えば、２つのコンテンツのうち、いずれか一方を出力してもよいし、２つのコンテンツを順に出力してもよい。順に出力することによって、同一のコンテンツを出力し続ける時間を削減することができる。
【００５７】
以上のように、第１の実施形態にかかるコンテンツ選択装置１００は、撮像データから得られる抽出情報に基づいて、撮像データに含まれる人物が非ターゲットであるか否かを判定する。そして、コンテンツ選択装置１００は、当該判定の結果に基づいて、出力装置４００が出力するコンテンツを選択する。これにより、非ターゲットの情報を除いてコンテンツを選択できるので、宣伝効果が高いコンテンツを選択できるという効果が得られる。
【００５８】
[変形例１]
図１２は、変形例１にかかるコンテンツ選択システム１０００の機能構成の一例を示すブロック図である。図１２に示すように、コンテンツ情報記憶部１７０は、出力装置５００にあってもよい。このとき、コンテンツ情報取得部１６０は、出力装置５００と通信可能に接続されている。
【００５９】
コンテンツ情報取得部１６０は、コンテンツ情報を取得し、取得したコンテンツ情報を、出力装置５００内のコンテンツ情報記憶部１７０に格納する。
【００６０】
コンテンツ選択部１３０は、非ターゲット判定部１２０が判定した結果に基づいて、コンテンツを選択し、選択したコンテンツのコンテンツＩＤを出力装置５００に送信する。
【００６１】
出力装置５００は、コンテンツ選択部１３０から受信したコンテンツＩＤに対応するコンテンツファイルをコンテンツ情報記憶部１７０から探索し、当該コンテンツを出力する。
【００６２】
このように、本変形例では、出力装置が予め保持しているコンテンツを再生しているので、安定してコンテンツを出力することができる。
【００６３】
[変形例２]
図１３は、変形例２にかかるコンテンツ選択システム１０００の機能構成の一例を示すブロック図である。図１３に示すように、コンテンツ選択装置１００は、さらに判定結果記憶部１８０を備えてもよい。
【００６４】
判定結果記憶部１８０は、非ターゲット判定部１２０と接続されている。非ターゲット判定部１２０は、撮像データに含まれる人物が非ターゲットであるか否かを判定した結果、すなわちフラグを付加した抽出情報と、時刻情報とを対応付けた情報を判定結果記憶部１８０に格納する。このとき、非ターゲット判定部１２０が格納する情報は、これに限らない。例えば、非ターゲット判定部１２０は、非ターゲットと判定された人物の情報を除いた抽出情報と時刻情報とを対応付けて格納してもよい。また、非ターゲット判定部１２０は、抽出情報に、撮像データに含まれる人物を検出した時刻に出力されたコンテンツのコンテンツＩＤを対応付けてもよい。すなわち、判定結果記憶部１８０は、抽出した情報と、撮像データに含まれる人物が非ターゲットであるか否かを判定した結果と、撮像データに含まれる人物を検出した時刻とを対応付けた情報を記憶する記憶手段に相当する。
【００６５】
この構成により、本変形例では、抽出情報を、各種分析に用いられる統計データとして活用することができる。例えば、検出された人物がサイネージ端末を視認したか否かを示す情報を抽出情報として抽出することで、抽出情報から、コンテンツに興味を持った人物の属性を取得できる。そのため、抽出情報を、それぞれのコンテンツが、どのような属性を持つ人物に対して高い宣伝効果が得られるか、といった予測に用いることができる。また、抽出情報から、デジタルサイネージ付近の通行人の属性を、所定の時間帯ごとに取得できる。よって、抽出情報を、後日の同時間帯において、特定の属性をもつ人物がデジタルサイネージ付近を通行するか否かの予測に用いることができる。
【００６６】
さらに、本変形例では、非ターゲットであるか否かを判定した結果を反映した抽出情報を生成し、記憶するので、非ターゲットでない人物、すなわちターゲットとなる人物に関する情報のみを分析に用いることができる。そのため、例えば、上述した予測において、非ターゲットの属性に関する情報を予め除くことができるので、抽出情報をより精度の高い統計データとして活用することができる。
【００６７】
第２の実施形態
第２の実施形態では、撮像データから抽出される情報に基づいて、非ターゲット情報を登録する例について説明する。
【００６８】
図１４は、本実施形態にかかるコンテンツ選択装置６００の構成の一例を示すブロック図である。なお、本実施形態にかかるコンテンツ選択システムの構成は、情報抽出部及び非ターゲット情報管理部を除き、図３に示したコンテンツ選択システムの構成と同様である。以下、上述した第１の実施形態の説明と重複する内容については説明を省略する。コンテンツ選択装置６００は、情報抽出部６１０、非ターゲット判定部１２０、コンテンツ選択部１３０、非ターゲット情報管理部６４０、非ターゲット情報記憶部１５０、コンテンツ情報取得部１６０及びコンテンツ情報記憶部１７０を備える。非ターゲット情報管理部６４０は、情報登録部６４１と、抽出情報記憶部６４２とを備える。非ターゲット判定部１２０、コンテンツ選択部１３０、非ターゲット情報記憶部１５０、コンテンツ情報取得部１６０及びコンテンツ情報記憶部１７０は、第１の実施形態における各構成と同様であるため、詳細な説明は省略する。
【００６９】
本実施形態では、非ターゲット情報管理部６４０が、抽出情報に含まれる人物の出現頻度に基づいて、当該人物が非ターゲットであるか否かを判定し、非ターゲットと判定した人物の情報を、非ターゲット情報記憶部１５０に登録することについて説明する。
【００７０】
情報抽出部６１０は、抽出情報を抽出情報記憶部６４２に格納する。図１５は、本実施形態にかかる抽出情報記憶部６４２に格納された抽出情報の一例を示す図である。
【００７１】
抽出情報記憶部６４２に、抽出情報が格納されると、情報登録部６４１は、格納された抽出情報に、非ターゲットとなる人物の情報が含まれるか否かを判定する。具体的には、情報登録部６４１は、所定時間ごとの、同一人物の出現頻度を算出し、出現頻度が高い人物を非ターゲットと判定する。例えば、当該所定の時間を３分とし、出現頻度の閾値を３と設定する。つまり、３分以内に出現頻度が３以上の人物を非ターゲットと判定する。図１５の例では、人物Ａ、人物Ｃ、人物Ｄ及び人物Ｆの属性は、年齢「２２」、性別「男性」、身長「１７５」、ひげ「あり」、眼鏡「なし」、名札「あり」であり、６種類の属性がすべて一致している。よって、人物Ａ、人物Ｃ、人物Ｄ及び人物Ｆは、同一人物と判定される。このとき、当該人物の出現頻度は４であり、閾値３を超えている。そのため、当該人物の情報を非ターゲット情報であると判定する。情報登録部６４１は、抽出情報のうち当該人物の情報を、非ターゲット情報記憶部１５０に格納し、非ターゲット情報として登録する。非ターゲット判定部１２０は、当該登録された非ターゲット情報を用いて、撮像データに含まれる人物が非ターゲットであるか否かを判定することができる。
【００７２】
ここで、人物が非ターゲットであるか否かを判定する方法は、上述の方法に限らない。例えば、撮像データに含まれる人物が、撮像範囲に滞在し続ける時間（滞在時間）を抽出情報として抽出し、滞在時間が閾値以上である人物を非ターゲットと判定してもよい。
【００７３】
情報登録部６４１は、抽出された情報に関する人物の、撮像データにおける出現頻度に基づいて、当該人物が非ターゲットであるか否かを判定し、当該人物が非ターゲットであると判定された場合、当該人物の特徴に関する情報を、非ターゲット情報とする、非ターゲット情報管理手段に相当する。
【００７４】
以上のように、本実施形態にかかるコンテンツ選択装置６００は、抽出情報に含まれる人物の出現頻度及び滞在時間の少なくとも一方を用いて、当該人物が非ターゲットであるか否かを判定し、非ターゲットであると判定した人物の情報を、非ターゲット情報として登録する。これにより、自動的に非ターゲット情報を生成することができるので、非ターゲット情報の登録にかかる手間や時間を削減することができる。
【００７５】
第３の実施形態
図１６は、本発明の第３の実施形態にかかるコンテンツ選択装置７００の一例を示すブロック図である。図１６に示すように、コンテンツ選択装置７００は、抽出部７１０と、判定部７２０と、選択部７３０とを備える。抽出部７１０、判定部７２０、選択部７３０の構成はそれぞれ、第１の実施形態にかかる情報抽出部１１０、非ターゲット判定部１２０、コンテンツ選択部１３０の構成と同様である。よって、その詳細な説明を省略する。
【００７６】
抽出部７１０は、撮像データから人物に関する情報を抽出する。
【００７７】
判定部７２０は、抽出部７１０が抽出した情報に基づいて、撮像データに含まれる人物が非ターゲットであるか否かを判定する。
【００７８】
選択部７３０は、抽出された情報のうち、判定部７２０により非ターゲットでないと判定された人物に関する情報に基づいて、コンテンツを選択する。
【００７９】
次に、コンテンツ選択装置７００の動作を説明する。図１７は、本実施形態にかかるコンテンツ選択装置７００の動作を説明するフローチャートである。
【００８０】
抽出部７１０は、撮像データを取得すると、撮像データから、撮像データに含まれる人物の特徴に関する情報を抽出する（Ｓ１７０１）。このとき、抽出部７１０は、コンテンツ選択装置７００とネットワークを介して接続される撮像装置等（図示せず）から、撮像データを取得してもよい。
【００８１】
判定部７２０は、抽出部７１０が抽出した、人物の特徴に関する情報に基づいて、撮像データに含まれる人物が、コンテンツを提示する対象でない人物である非ターゲットであるか否かを判定する（Ｓ１７０２）。
【００８２】
選択部７３０は、抽出部７１０が抽出した、人物の特徴に関する情報のうち、非ターゲットでないと判定された人物の特徴に関する情報に基づいて、コンテンツを選択する（Ｓ１７０３）。このとき、選択部７２０は、コンテンツ選択装置７００とネットワークを介して接続されるサーバ等（図示せず）や、コンテンツ選択装置１００に挿入されるメモリカードやＵＳＢメモリ等から、コンテンツを取得してもよい。また、選択部７２０は、コンテンツを予め取得してもよいし、Ｓ１７０３において取得してもよい。
【００８３】
以上のように、本実施形態にかかるコンテンツ選択装置７００によれば、非ターゲットの情報を除いてコンテンツを選択できるので、高い宣伝効果が得られるコンテンツを選択できるという効果が得られる。
【００８４】
以上、上述した実施形態を参照して本発明を説明した。しかしながら、本発明は、上述した実施形態には限定されない。即ち、本発明は、本発明のスコープ内において、種々の上記開示要素の多様な組み合わせ乃至選択など、当業者が理解し得る様々な態様を適用することができる。
【符号の説明】
【００８５】
１０  コンピュータ装置
１１  プロセッサ
１２  ＲＡＭ
１３  ＲＯＭ
１４  記憶装置
１５  入出力インタフェース
１６  バス
１７  ドライブ装置
１８  プログラム
１９  周辺機器
２０  記録媒体
１０００  コンテンツ選択システム
１００、６００、７００  コンテンツ選択装置
１１０、６１０  情報抽出部
１２０  非ターゲット判定部
１３０  コンテンツ選択部
１４０、６４０  非ターゲット情報管理部
１５０  非ターゲット情報記憶部
１６０  コンテンツ情報取得部
１７０  コンテンツ情報記憶部
１８０  判定結果記憶部
２００  撮像装置
３００  管理端末
４００、５００  出力装置
６４１  情報登録部
６４２  抽出情報記憶部
７１０  抽出部
７２０  判定部
７３０  選択部
【図１】
2020115159.tif 000003
【図２】
2020115159.tif 000004
【図３】
2020115159.tif 000005
【図４】
2020115159.tif 000006
【図５】
2020115159.tif 000007
【図６】
2020115159.tif 000008
【図７】
2020115159.tif 000009
【図８】
2020115159.tif 000010
【図９】
2020115159.tif 000011
【図１０】
2020115159.tif 000012
【図１１】
2020115159.tif 000013
【図１２】
2020115159.tif 000014
【図１３】
2020115159.tif 000015
【図１４】
2020115159.tif 000016
【図１５】
2020115159.tif 000017
【図１６】
2020115159.tif 000018
【図１７】
2020115159.tif 000019
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
撮像データから、当該撮像データに含まれる人物の特徴に関する情報を抽出する抽出手段と、
前記抽出された情報に基づいて、前記撮像データに含まれる人物が、コンテンツを提示する対象でない人物である非ターゲットであるか否かを判定する判定手段と、
前記判定手段により非ターゲットでないと判定された人物に関する前記抽出された情報に基づいて、提示するコンテンツを選択する選択手段と、を備える
コンテンツ選択装置。
【請求項２】
前記判定手段は、前記抽出された情報と、予め設定された、前記非ターゲットに関する情報に基づいて、前記撮像データに含まれる人物が非ターゲットであるか否かを判定する、
請求項１に記載のコンテンツ選択装置。
【請求項３】
前記抽出された情報に関する人物の、前記撮像データにおける出現頻度に基づいて、当該人物が非ターゲットであるか否かを判定する非ターゲット情報管理手段をさらに備え、
前記非ターゲットに関する情報は、前記非ターゲット情報管理手段により、非ターゲットであると判定された前記人物の特徴に関する情報である
請求項２に記載のコンテンツ選択装置。
【請求項４】
前記選択手段は、
前記抽出された情報に、非ターゲットでないと判定された人物の特徴に関する情報が含まれる場合、当該人物の特徴に関する情報に基づいてコンテンツを選択し、
前記抽出された情報に、前記非ターゲットでないと判定された人物の特徴に関する情報が含まれない場合、所定のコンテンツを選択する
請求項１乃至３のいずれか１項に記載のコンテンツ選択装置。
【請求項５】
前記特徴は、前記撮像データに含まれる人物の属性及び前記撮像データから切り出された当該人物を含む画像の少なくとも一方を含む
請求項１乃至４のいずれか１項に記載のコンテンツ選択装置。
【請求項６】
前記属性は、前記撮像データに含まれる人物の年齢、性別、身長、髭の有無、眼鏡の有無及び名札の有無の情報の少なくとも一を含み、
前記切り出された画像は、前記撮像データに含まれる人物の顔を含む画像及び当該人物の着衣を含む画像の少なくとも一方を含む
請求項５に記載のコンテンツ選択装置。
【請求項７】
前記抽出された情報と、前記判定手段が前記撮像データに含まれる人物が非ターゲットであるか否かを判定した結果と、前記撮像データに含まれる人物を検出した時刻とを対応付けた情報を記憶する記憶手段をさらに備える
請求項１乃至６のいずれか１項に記載のコンテンツ選択装置。
【請求項８】
請求項１乃至７のいずれか１項に記載のコンテンツ選択装置と、
前記撮像データを生成する撮像装置と、
前記選択手段によって選択された前記コンテンツを出力する出力装置と、を備える
コンテンツ選択システム。
【請求項９】
撮像データから、当該撮像データに含まれる人物の特徴に関する情報を抽出し、
前記抽出された情報に基づいて、前記撮像データに含まれる人物が、コンテンツを提示する対象でない人物である非ターゲットであるか否かを判定し、
非ターゲットでないと判定された人物に関する前記抽出された情報に基づいて、提示するコンテンツを選択する
コンテンツ選択方法。
【請求項１０】
撮像データから、当該撮像データに含まれる人物の特徴に関する情報を抽出する処理と、
前記抽出された情報に基づいて、前記撮像データに含まれる人物が、コンテンツを提示する対象でない人物である非ターゲットであるか否かを判定する処理と、
非ターゲットでないと判定された人物に関する前記抽出された情報に基づいて、提示するコンテンツを選択する処理と、をコンピュータに実行させる
プログラム。